【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
電子写真方式における画像担持体上に形成されるトナー像を転写後に残留する残留トナーを回収する回収トナーを再使用して画像を形成する画像形成装置において、
形成画像を担持する画像担持体と、上記画像担持体上に形成された静電潜像を顕像化してトナー像を形成する現像手段と、上記現像手段で形成されたトナー像を被転写体に転写する転写手段と、上記転写手段による転写後の上記画像担持体又は上記転写手段に残留する残留トナーを回収するクリーニング手段と、上記クリーニング手段で回収された回収トナーを上記現像手段側の横方向に搬送する回収トナー搬送手段と、上記回収トナー搬送手段が搬送する回収トナーを再使用する再使用トナーとして搬送する再使用トナー搬送経路を廃棄する廃棄トナーとして搬送する廃棄トナー搬送経路に切替える再使用トナー搬送経路切替手段とからなり回収トナーを再使用して画像を形成する画像形成装置であって、
上記再使用トナー搬送経路切替手段は、再使用トナーを排出する再使用トナー排出口と廃棄トナーを排出する廃棄トナー排出口とを外周面に設けた中空管形状のパイプ部材と、上記パイプ部材に内包されて上記回収トナーを搬送方向に搬送する搬送スクリュとからなり、
上記再使用トナー排出口又は上記廃棄トナー排出口は、上記搬送スクリュの鉛直方向下方から上記搬送スクリュウの回動方向側に向かって上記外周面が開口するように構成したものであることを特徴とする画像形成装置。
【手続補正２】
【補正対象書類名】明細書
【補正対象項目名】０００４
【補正方法】変更
【補正の内容】
【０００４】
上記目的を達成するために、本発明は、電子写真方式における画像担持体上に形成されるトナー像を転写後に残留する残留トナーを回収する回収トナーを再使用して画像を形成する画像形成装置において、形成画像を担持する画像担持体と、上記画像担持体上に形成された静電潜像を顕像化してトナー像を形成する現像手段と、上記現像手段で形成されたトナー像を被転写体に転写する転写手段と、上記転写手段による転写後の上記画像担持体又は上記転写手段に残留する残留トナーを回収するクリーニング手段と、上記クリーニング手段で回収された回収トナーを上記現像手段側の横方向に搬送する回収トナー搬送手段と、上記回収トナー搬送手段が搬送する回収トナーを再使用する再使用トナーとして搬送する再使用トナー搬送経路を廃棄する廃棄トナーとして搬送する廃棄トナー搬送経路に切替える再使用トナー搬送経路切替手段とからなり回収トナーを再使用して画像を形成する画像形成装置であって、上記再使用トナー搬送経路切替手段は、再使用トナーを排出する再使用トナー排出口と廃棄トナーを排出する廃棄トナー排出口とを外周面に設けた中空管形状のパイプ部材と、上記パイプ部材に内包されて上記回収トナーを搬送方向に搬送する搬送スクリュとからなり、上記再使用トナー排出口又は上記廃棄トナー排出口は、上記搬送スクリュウの鉛直方向下方から上記搬送スクリュウの回動方向側に向かって上記外周面が開口するように構成したものである画像形成装置であることを最も主要な特徴とする。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
上記のように構成された画像形成装置では、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、再使用トナー搬送経路切替手段によって、再使用する再使用トナーとして搬送する再使用トナー搬送経路を廃棄する廃棄トナーとして搬送する廃棄トナー搬送経路に切替えると共にパイプ部材の外周面に設けられる再使用トナー排出口又は廃棄トナー排出口は、上記パイプ部材に内包されて回収トナーを搬送方向に搬送する搬送スクリュの鉛直方向下方から搬送スクリュウの回動方向側に向かって上記外周面が開口するように構成して、回収トナーを再使用して画像を形成するようにして、パイプ部材内の回収トナーを再使用トナーとして確実に上記再使用トナー排出口から排出し又は廃棄トナーとして確実に廃棄トナー排出口から排出されるようになり再使用トナーと廃棄トナーが混在して画像品質を低下させたり再使用トナーが廃棄されることが防止され、通常は、電子写真方式における画像担持体上に形成されるトナー像を転写後に残留する残留トナーを回収する回収トナーを再使用して画像の形成が行われるが、簡単な構成の切替えで、回収トナーの再使用を中止して、使用する被転写体の紙粉等が多くても更に高品質の画像の形成が行われる、トナーの消費量も更に少なく更に低コストの画像形成装置を提供することが出来るようにする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明は、以上説明したように構成されているので、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、再使用トナー搬送経路切替手段によって、再使用する再使用トナーとして搬送する再使用トナー搬送経路を廃棄する廃棄トナーとして搬送する廃棄トナー搬送経路に切替えると共にパイプ部材の外周面に設けられる再使用トナー排出口又は廃棄トナー排出口は、上記パイプ部材に内包されて回収トナーを搬送方向に搬送する搬送スクリュの鉛直方向下方から搬送スクリュウの回動方向側に向かって上記外周面が開口するように構成して、回収トナーを再使用して画像を形成するようにしたので、パイプ部材内の回収トナーを再使用トナーとして確実に上記再使用トナー排出口から排出し又は廃棄トナーとして確実に廃棄トナー排出口から排出されるようになり再使用トナーと廃棄トナーが混在して画像品質を低下させたり再使用トナーが廃棄されることが防止され、通常は、電子写真方式における画像担持体上に形成されるトナー像を転写後に残留する残留トナーを回収する回収トナーを再使用して画像の形成が行われるが、簡単な構成の切替えで、回収トナーの再使用を中止して、使用する被転写体の紙粉等が多くても更に高品質の画像の形成が行われる、トナーの消費量も更に少なく更に低コストの画像形成装置を提供することが出来るようになった。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００２５
【補正方法】変更
【補正の内容】
【００２５】
【図１】本発明の実施の形態例を示す画像形成装置の概略を説明する説明図である。
【図２】本発明の実施の形態例を示す画像形成装置の主用部の状態を説明する拡大した説明図である。
【図３】本発明の実施の形態例を示す画像形成装置の主用部の他の状態を説明する拡大した説明図である。
【図４】本発明の実施の形態例を示す画像形成装置の他の主用部を説明する拡大した説明図である。
【図５】本発明の実施の形態例を示す画像形成装置の他の主用部を説明する拡大した斜視図である。
【図６】画像形成装置の主用部の状態を説明する拡大した説明図である。